(57)【要約】【課題】商品の盗難や悪戯を防止することができる自動販売機を提供することを目的とする。【解決手段】防盗板１１の側面に、商品取出口３の方向へ向かって側壁１２を設けることにより、商品取出口３から自動販売機１の庫内に手を挿入しようと、防盗板１１を回動させると、開口部にない送出口６へ手を挿入するスペースに側壁１２が位置するため、手を挿入するスペースが狭くなり、挿入しづらく商品の盗難や悪戯を防止することができる。【選択図】図２
2012230458.tif 000002
【特許請求の範囲】
【請求項１】
自動販売機の庫内にある商品収納部から商品が送出される送出口と、自動販売機の前面に備えた開口部と、前記送出口と前記開口部とに連通する商品取出口と、前記開口部に向かって前記商品取出口の上部に回動自在に軸支され前記商品取出口の略全幅に延在した防盗板とを備え、前記防盗板の側面に商品取出口方向に突出した側壁を設けたことを特徴とする自動販売機。
【発明の詳細な説明】
【技術分野】
【０００１】
本発明は、自動販売機の商品取出口に備えた防盗板に関するものである。
【背景技術】
【０００２】
自動販売機の本体前面には、商品を取り出すための商品取出口が設けられているが、近年種々の形状の飲料を販売するようになり、商品取出口が大型化となっている。このため、商品取出口から本体内の商品収納部へ手を挿入され、自販機内の悪戯や盗難が増え、これを防止するために商品取出口に防盗板が供えられている。（例えば、特許文献１参照）
図５は、特許文献１に記載された従来の自動販売機の斜視図を示したもので、図６は、従来の自動販売機の商品取出口斜視図、図７は、従来の商品取出口の側面図を示したものである。図５、６、７に示すように、自動販売機１は、開口面２と、商品取出口３と、防盗板４と、開口面２にある送出口５と、開口面２にない送出口６と、後壁７、送出口の後方上部に位置する商品収納部８、商品収納部８から開口面２にある送出口５および開口面２にない送出口６へ商品を落下搬出するシュート９、開口面２にある送出口５および開口面２にない送出口６より搬出された商品が、商品取出口３まで送出する際に商品が通過する商品搬出通路１０より構成されている。
【０００３】
上記構成において、防盗板４は、上端を商品取出口３の上部に回動自在に軸支されており、商品取出口３の全幅方向に延在している。通常販売時は、防盗板４の下部が商品取出口３に接する位置に配置されており、防盗板４と後壁７との間に商品搬出通路１０が形成されている。また、開口面２にある送出口５および開口面２にない送出口６は、後壁７上に構成されている。
【先行技術文献】
【特許文献】
【０００４】
【特許文献１】実公平７−３９００８号公報
【発明の概要】
【発明が解決しようとする課題】
【０００５】
しかしながら前記従来の構成では、悪戯しようとする者が商品を盗難しようと、商品取出口から手を挿入するために、防盗板４を後壁７に当接するまで後方へ回動させると、防盗板４は、開口面２の略全幅方向に延在しているため、開口面２にある送出口５は前面に防盗板４が位置して手を挿入しづらいが、開口面２にない送出口６においては、防盗板４が前面に位置しないため、商品取出口３から挿入された手は、防盗板４と商品取出口３との間の商品搬出通路１０を通過し、開口面２にない送出口６に容易に手を挿入することができるという課題を有していた。
【０００６】
本発明は前記従来の課題を解決するものであり、どの場所に配置された送出口においても、手を挿入しづらく、商品の盗難や悪戯を防止する自動販売機の商品取出口を提供することを目的とする。
【課題を解決するための手段】
【０００７】
前記従来の課題を解決するために、本発明の自動販売機は、商品取出口の上部に回動自在に軸支され前記商品取出口の略全幅に延在した防盗板を備え、前記防盗板の側面に商品取出口方向に突出した側壁を設けたものである。
【０００８】
これにより、商品取出口に手を挿入するため、防盗板を後方へ回動させると、側壁が商品搬出通路に位置し、開口面にない送出口へ手を挿入する際の通路となる商品搬出通路が狭くなり、手を挿入しづらく、商品の盗難や悪戯を防止することができる。
【発明の効果】
【０００９】
本発明の自動販売機は、商品取出口の上部に回動自在に軸支され前記商品取出口の略全幅に延在した防盗板を備え、前記防盗板の側面に商品取出口方向に突出した側壁を設けたものであり、開口面にない送出口へ手を挿入する際の通路となる商品搬出通路が狭くなり、手を挿入しづらく、商品の盗難や悪戯を防止することができ、信頼性の高い自動販売機を提供することができる。
【図面の簡単な説明】
【００１０】
【図１】本発明の実施の形態１による自動販売機の斜視図
【図２】本発明の実施の形態１による自動販売機の商品取出口の斜視図
【図３】本発明の実施の形態１による自動販売機の商品取出口の側面図
【図４】本発明の実施の形態１による自動販売機の防盗板の斜視図
【図５】従来の自動販売機の斜視図
【図６】従来の自動販売機の商品取出口の斜視図
【図７】従来の自動販売機の商品取出口の側面図
【発明を実施するための形態】
【００１１】
請求項１に記載の発明は、自動販売機の庫内にある商品収納部から商品が送出される送出口と、自動販売機の前面に備えた開口部と、前記送出口と前記開口部とに連通する商品取出口と、前記開口部に向かって前記商品取出口の上部に回動自在に軸支され前記商品取出口の略全幅に延在した防盗板とを備え、前記防盗板の側面に商品取出口方向に突出した側壁を設けたものであり、開口面にない送出口へ手を挿入する際の通路となる商品搬出通路が狭くなり、手を挿入しづらく、商品の盗難や悪戯を防止することができる。
【００１２】
以下、本発明の実施の形態について、図面を参照しながら説明するが、従来と同一構成については同一符号を付して詳細な説明は省略する。なお、この実施の形態によってこの発明が限定されるものではない。
【００１３】
（実施の形態１）
図１は本発明の実施の形態１における自動販売機の斜視図、図２は本発明の実施の形態１における自動販売機の商品取出口の詳細図、図３は本発明の実施の形態１における自動販売機の側面図である。図４は本発明の実施の形態１における自動販売機の防盗板の斜視図である。
【００１４】
図１から４において、自動販売機１の前面に備えた開口面２に向かって商品取出口３の上部に回動自在に軸支され商品取出口３の略全幅に延在した防盗板１１は、その側面に商品取出口方向（手前方向）に突出した側壁１２を設けている。側壁１２は略台形状とし軸支側を長辺となるように形成している。そして、通常時、防盗板１１は下端が商品取出口３に接するように付勢手段にて商品取出口３側に付勢され配置している。なお、側壁１２は防盗板１１の端部を折り曲げて一体に形成している。
【００１５】
以上のように構成された自動販売機について、以下その動作、作用を説明する。
【００１６】
通常の商品販売状態では、防盗板１１は、下端が商品取出口３に接するように商品取出口３側に配置されており、防盗板１１と後壁７との間に商品搬出通路１０が形成されている。悪戯しようとする者が、商品取出口３から奥へ手を挿入するために、防盗板１１を後
壁７に当接するまで後方へ回動させると、防盗板１１は、送出口５の前面を覆うため、商品取出口３より奥へ手を挿入しづらい。さらに、開口面２の投影面上にない送出口６へ手を挿入するためには、防盗板１１の側面より奥へ手を挿入しなければならないが、防盗板１１の側面には側壁１２が形成されており、手を挿入できるスペースが狭く挿入しづらい。
【００１７】
さらに、防盗板１１の下方の商品搬出通路１０より送出口６の方向へ手を挿入しても、商品収納部８は送出口６の上方にあるため商品を盗難するためには送出口６より上方へ手を上げなければならないが、側壁１２があるため、送出口６より上へ手をあげづらく、商品の防盗性を高めることができる。
【００１８】
また、側壁１２は、通常の商品販売状態では、商品搬出通路１０の外に形成されているため、側壁１２を設けても商品搬出通路１０が狭くなることはなく、良好に商品が商品取出口３まで搬出することができる。
【００１９】
なお、本実施の形態では、側壁１２は略台形状としたが、これに限定されるものではなく、開口面２の投影面上にない送出口６への手の挿入を抑制できる形状であればよい。
【産業上の利用可能性】
【００２０】
以上のように、本発明にかかる自動販売機は、商品取出口の上部に回動自在に軸支され前記商品取出口の略全幅に延在した防盗板を備え、前記防盗板の側面に商品取出口方向に突出した側壁を設けたことで、商品の盗難や悪戯を防止することができ、信頼性の高めることができるので、防盗板を備えたあらゆる自動販売機器に適用できる。
【符号の説明】
【００２１】
１  自動販売機
２  開口面
３  商品取出口
５、６  送出口
８  商品収納部
１１  防盗板
１２  側壁
【図１】
2012230458.tif 000003
【図２】
2012230458.tif 000004
【図３】
2012230458.tif 000005
【図４】
2012230458.tif 000006
【図５】
2012230458.tif 000007
【図６】
2012230458.tif 000008
【図７】
2012230458.tif 000009